(57)【要約】【課題】  本発明は壁板で覆われた磁石を備えた配線ボックスの位置を磁力線検出器で検出することができるとともに、埋設されている配線ボックスが小判型か丸型であるかも判別して、壁板に形成する孔を正しく、効率よく形成することができる配線ボックスの判別方法を得るにある。【解決手段】  埋設された磁石を備えた配線ボックスを磁力線検出器で検出する配線ボックスの判別方法において、小判型の配線ボックスの場合には上下部のほぼ中央部にＮ極とＳ極の磁石を配置し、丸型の配線ボックスの場合には上下部のほぼ中央部にＮ極とＮ極の磁石を配置し、磁力線検出器でＮ極とＳ極の磁力線を検出した場合に小判型の配線ボックスと判定し、Ｎ極とＮ極の磁力線を検出した場合に丸型の配線ボックスであると判定する検出回路を設けた磁力線検出器を用いて行なうことで配線ボックスの判別方法を構成している。【選択図】  図１
2010016919.tif 000002
【特許請求の範囲】
【請求項１】
埋設された磁石を備えた配線ボックスを磁力線検出器で検出する配線ボックスの判別方法において、小判型の配線ボックスの場合には上下部のほぼ中央部にＮ極とＳ極の磁石を配置し、丸型の配線ボックスの場合には上下部のほぼ中央部にＮ極とＮ極の磁石を配置し、磁力線検出器でＮ極とＳ極の磁力線を検出した場合に小判型の配線ボックスと判定し、Ｎ極とＮ極の磁力線を検出した場合に丸型の配線ボックスであると判定する検出回路を設けた磁力線検出器を用いて行なうことを特徴とする配線ボックスの判別方法。  
【請求項２】
小判型配線ボックスは小判型の配線ボックス本体あるいは配線ボックス本体に取付けられる小判型のカバーの上下部のほぼ中央部の配線器具取付板を取付けるねじ孔部位に、該ねじ孔を塞ぐことなく固定したＮ極とＳ極の磁石が配置されていることを特徴とする請求項１記載の配線ボックスの判別方法。
【請求項３】
丸型の配線ボックスは丸型の配線ボックス本体あるいは配線ボックス本体に取付けられる丸型のカバーの上下部のほぼ中央部に配線器具取付板を取付けるねじ孔部位に、該ねじ孔を塞ぐことなく固定したＮ極とＮ極の磁石が配置されていることを特徴とする請求項１記載の配線ボックスの判別方法。
【発明の詳細な説明】
【技術分野】
【０００１】
本発明はスイッチやコンセント等の配線器具を取付けるための壁板内等に設置されている配線ボックスが、小判型の配線ボックスであるか丸型の配線ボックスであるかを判別する配線ボックスの判別方法に関する。
【背景技術】
【０００２】
従来、配線ボックスは壁面に設置した後、配線ボックスは壁板で覆われるため配線作業時に壁板で覆われた配線ボックスの正確な位置がわからないと、配線ボックスが埋設されていない部位の壁板に孔を形成してしまい、壁板の取り替え作業が生じたりするという欠点があった。  
この欠点を解消するために、配線ボックスの開口端部にリング状の共振回路を用いて検出することが考えられているが、配線ボックスが高価になるという欠点があった。
この欠点を解消するために、配線ボックスに磁石を設置して埋設位置を検出することが考えられているが、配線ボックスには小判型と丸型とがあり、埋設されている配線ボックスが小判型か丸型であるかを判別できず、小さな孔を形成した後、小判型か丸型であるかを確認した後、その形状の壁板に孔を形成している。
【０００３】
このため、壁板に埋設されている配線ボックスが小判型、丸型であるかわからず、小孔を明けて確認して壁板に孔を形成しているため、その作業が大変で、手数がかかり、コスト高になるという欠点があった。  
という欠点があった。
【特許文献１】特許第３３２４６９３号
【発明の開示】
【発明が解決しようとする課題】
【０００４】
本発明は以上のような従来の欠点に鑑み、壁板で覆われた配線ボックスの位置を磁力線検出器で検出することができるとともに、埋設されている配線ボックスが小判型か丸型であるかも判別して、壁板に形成する孔を正しく、効率よく形成することができる配線ボックスの判別方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は埋設された磁石を備えた配線ボックスを磁力線検出器で検出する配線ボックスの判別方法において、小判型の配線ボックスの場合には上下部のほぼ中央部にＮ極とＳ極の磁石を配置し、丸型の配線ボックスの場合には上下部のほぼ中央部にＮ極とＮ極の磁石を配置し、磁力線検出器でＮ極とＳ極の磁力線を検出した場合に小判型の配線ボックスと判定し、Ｎ極とＮ極の磁力線を検出した場合に丸型の配線ボックスであると判定する検出回路を設けた磁力線検出器を用いて行なうことで配線ボックスの判別方法を構成している。
【発明の効果】
【０００７】
以上の説明から明らかなように、本発明にあっては次に列挙する効果が得られる。
【０００８】
（１）埋設された磁石を備えた配線ボックスを磁力線検出器で検出する配線ボックスの判別方法において、小判型の配線ボックスの場合には上下部のほぼ中央部にＮ極とＳ極の磁石を配置し、丸型の配線ボックスの場合には上下部のほぼ中央部にＮ極とＮ極の磁石を配置し、磁力線検出器でＮ極とＳ極の磁力線を検出した場合に小判型の配線ボックスと判定し、Ｎ極とＮ極の磁力線を検出した場合に丸型の配線ボックスであると判定する検出回路を設けた磁力線検出器を用いて行なうので、磁力検出器が壁板で覆われた埋設配線ボックスより出す磁力線がＮ極とＳ極あるいはＮ極とＮ極のいずれかを検出することにより、小判型あるいは丸型の配線ボックスであるかを判別することができるとともに、その埋設位置を検出することができる。
したがって、小判型か丸型の配線ボックスであるかをあらかじめ知ることができるので、壁板に形成する孔を効率よく、正確に形成することができる。
【０００９】
（２）前記（１）によって、磁力線検出器で埋設されている配線ボックスが小判型か丸型であるかを検出、判別できるので、配線ボックスの検出、判別を手間をかけずに短時間に行なうことができる。
したがって、コストの低減を図ることができる。
【００１０】
（３）前記（１）によって、小判型配線ボックスと丸型配線ボックスに固定する磁石を、異極あるいは同極に設定するだけでよいので、容易に実施することができる。
【００１１】
（４）請求項２、３も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図１６において、１は小判型配線ボックスで、この小判型配線ボックス１は図３ないし図５に示すように金属材製の四角浅皿状の配線ボックス本体２と、この配線ボックス本体２の開口部の端部に折り曲げ形成されたねじ孔３を有する一対のカバー取付片４、４と、前記配線ボックス本体２の一対のカバー取付片４、４にビス５、５で着脱可能に固定される外周部にビス挿入溝６、６が形成された小判型あるいは長方形状の透孔７が突出部位に形成された金属材製の小判型のカバー８と、この小判型のカバー８の上下部のほぼ中央部に凹部９、９となるように内側へ突出させた、小判型配線ボックス１に取付けられる配線器具取付板をビスで取付けるねじ孔１０、１０を有する取付板取付片１１、１１と、この取付板取付片１１、１１の凹部９、９部位にねじ孔１０、１０を塞ぐことなく接着剤で固定されたリング状の上面がＮ極とＳ極の磁石１２、１３とで構成されている。
【００１４】
１４は丸型配線ボックスで、この丸型配線ボックス１４は図６ないし図８に示すように、金属材製の四角浅皿状の配線ボックス本体２と、この配線ボックス本体２の開口部の端部に折り曲げ形成されたねじ孔３を有する一対のカバー取付片４、４と、前記配線ボックス本体２の一対のカバー取付片４、４にビス５、５で着脱可能に固定される外周部にビス挿入溝１５、１５、１５、１５が形成された円形状の透孔１６が突出部位に形成された金属材製の丸型のカバー１７と、この丸型のカバー１７の上下部のほぼ中央部に凹部９、９となるように内側へ突出させた丸型配線ボックス１４に取付けられる配線器具取付板をビスで取付ける、前記小判型配線ボックス１のねじ孔１０、１０の内側に位置する部位に形成されたねじ孔１８、１８を有する取付板取付片１９、１９と、この取付板取付片１９、１９の凹部９、９部位にねじ孔１８、１８を塞ぐことなく接着剤で固定されたリング状の上面がＮ極とＮ極の磁石１２、１２とで構成されている。
【００１５】
２０は前記小判型配線ボックス１のＮ極とＳ極の磁石１２、１３の磁力線あるいは前記丸型配線ボックス１４のＮ極とＮ極の磁石１２、１２の磁力線を検出して、壁板２１に埋設されている配線ボックスを検出して小判型か丸型であるかを判別する磁力線検出器で、この磁力線検出器２０は図９ないし図１３に示すように、１個用の長方形状の配線ボックスの内壁面の輪郭をケガキできるような形状に形成された検出器本体２２と、この検出器本体２２の後端部にヒンジ部材２３を介して開閉可能に取付けられた電池２４、２４が収納されたカバー体２５と、前記検出器本体２２の上部側の上面に設けられたマトリックス表示器２６と、このマトリックス表示器２６の下部で、前記検出器本体２２の中央部に貫通するように形成された円錐台形状の中央ケガキ用孔２７と、前記検出器本体２２の上面に電源スイッチ２８、この電源スイッチ２８のＯＮ状態を示す青ランプ２９、中心を検出すると表示する中心検出表示用緑ランプ３０、丸型を検出すると表示する丸型検出表示用黄ランプ３１、小判型を検出すると表示する小判型検出表示用赤ランプ３２および水平器３３が設けられ、上下部の中央部にはケガキ用孔３４、３５が形成されている。
【００１６】
前記検出器本体２２の下面には図１２に示すように、小判型配線ボックス１のＮ極とＳ極の磁石１２、１３の磁力線を検出したり、丸型配線ボックス１４のＮ極とＮ極の磁石１２、１２の磁力線を検出したり、中心位置を検出したりする１２個のホールＩＣ（磁気センサー）３６が設けられている。
前記１２個のホールＩＣ（磁気センサー）３６は図１３に示すような制御回路３７で、壁板２１で覆われている小判型の配線ボックス１のＮ極とＳ極の磁石１２、１３の磁力線を検出すると、マトリックス表示器２６の中央部が表示され、中心検出表示用緑ランプ３０と小判型検出表示用赤ランプ３２を点灯させ、丸型の配線ボックス１４のＮ極とＮ極の磁石１２、１２の磁力線を検出すると、マトリックス表示器２６の中央部が表示され、中心検出表示用緑ランプ３０、丸型検出表示用黄ランプ３１を点灯させるように構成されている。
【００１７】
壁板２１で覆われた配線ボックスを探す場合、図１５に示すように磁力線検出器２０を壁面２１に沿ってスライド移動させると、１２個のホールＩＣ（磁気センサー）
３６で配線ボックスの磁石の磁力線を検出し、マトリックス表示器２６の中心が表示されるように磁力線検出器２０を位置させると、中心検出表示用緑ランプ３０と小判型検出表示用赤ランプ３２が点灯すると、埋設されている配線ボックスは小判型の配線ボックス１であると判別することができるとともに、検出器本体２２の輪郭をケガクと、壁板２１に形成する孔の位置と大きさが決定できる。
しかる後、本願発明者が考えた配線ボックス用穴明け治具（特許第３７３２１０６号） で壁面に穴を明けることにより、短時間に楽な作業で配線ボックスの開口部を開口させることができる。
また、壁板２１で覆われている丸型配線ボックス１４の、Ｎ極とＮ極の磁石１２、１２の磁力線を検出すると、図１６に示すようにマトリックス表示器２６の中心部が表示され、中心検出表示用緑ランプ３０と丸型検出表示用黄ランプ３１が点灯すると、埋設されている配線ボックスは丸型配線ボックスであると判別することができるとともに、検出器本体２２の中央ケガキ用孔２７をケガクことにより、壁板２１に形成する丸孔の中心が設定でき、直径７０ｍｍの円を描いて孔を形成すると、丸型配線ボックス１４の開口部を開口させることができる。
[発明を実施するための異なる形態]
【００１８】
次に、図１７ないし図２４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図１７ないし図２１に示す本発明を実施するための第２の形態において、前記本発明を実施するための最良の第１の形態と主に異なる点は、ねじ孔１０を有する取付板取付片１１、１１部位が凹部９、９となる小判型のカバー８Ａを用いた小判型配線ボックス１Ａと、ねじ孔１８を有する取付板取付片１９、１９部位が凹部９、９となる丸型のカバー１７Ａを用いた丸型配線ボックス１４Ａとを用いた点で、このような小判型配線ボックス１Ａや丸型配線ボックス１４Ａが壁板２１で覆われていても、磁力線検出器２０で同様にその埋設位置および埋設されている配線ボックスが小判型であるか丸型であるかを判別することができる。
【００２０】
図２２ないし図２４に示す本発明を実施するための第３の形態において、前記本発明を実施するための最良の第１の形態と主に異なる点は、合成樹脂材で形成した長方形状の配線ボックス本体２の上下部のほぼ中央部の内底面に立設させた配線器具取付板をビスで固定するナット３８、３８が埋設された軸３９、３９の上部にＮ極とＳ極のリング状の磁石１２、１３を埋設した小判型配線ボックス１Ｂを用いた点で、このような小判型配線ボックス１Ｂが壁板で覆われていても、磁力線検出器２０で同様にその埋設位置および小判型の配線ボックスであることを判別することができる。
【００２１】
なお、前記本発明を実施するための最良の第１の形態で用いた磁力線検出器２０は電源スイッチ２８をＯＮすると青ランプ２９が点灯し、中心を検出すると緑ランプ３０、丸型を検出すると黄ランプ３１および小判型を検出すると赤ランプ３２が点灯するものについて説明したが、本発明はこれに限らず、各表示のランプの色を異なるものに設定したり、各表示のランプの色は同じで、点灯している所の表記で判断するものであってもよい。
【産業上の利用可能性】
【００２２】
本発明は磁石を備えた配線ボックおよび磁力線検出器を製造する産業で利用される。
【図面の簡単な説明】
【００２３】
【図１】本発明を実施するための最良の第１の形態の小判型配線ボックスを判別した状態の説明図。
【図２】本発明を実施するための最良の第１の形態の丸型配線ボックスを判別した状態の説明図。
【図３】本発明を実施するための最良の第１の形態の小判型配線ボックスの平面図。
【図４】本発明を実施するための最良の第１の形態の小判型配線ボックスの側面図。
【図５】図３の５−５線に沿う断面図。
【図６】本発明を実施するための最良の第１の形態の丸型配線ボックスの平面図。
【図７】本発明を実施するための最良の第１の形態の丸型配線ボックスの側面図。
【図８】図６の８−８線に沿う断面図。
【図９】本発明を実施するための最良の第１の形態の磁力線検出器の開放状態の平面図。
【図１０】本発明を実施するための最良の第１の形態の磁力線検出器の開放状態の側面図。
【図１１】本発明を実施するための最良の第１の形態の閉じた状態の平面図。
【図１２】本発明を実施するための最良の第１の形態のホールＩＣ（磁気センサー）の説明図。
【図１３】ホールＩＣ（磁気センサー）の制御回路図である。
【図１４】本発明を実施するための最良の第１の形態の磁力線検出器の概略ブロック図。
【図１５】本発明を実施するための最良の第１の形態の配線ボックスの検出状態の説明図。
【図１６】本発明を実施するための最良の第１の形態の配線ボックスの検出状態の説明図。
【図１７】本発明を実施するための第２の形態の異なる小判型配線ボックスの平面図。
【図１８】図１７の１８−１８線に沿う断面図。
【図１９】本発明を実施するための第２の形態の異なる丸型配線ボックスの平面図。
【図２０】図１９の２０−２０線に沿う断面図。
【図２１】本発明を実施するための第２の形態の検出判別状態の説明図。
【図２２】本発明を実施するための第３の形態の異なる小判型配線ボックスの平面図。
【図２３】図２２の２３−２３線に沿う断面図。
【図２４】本発明を実施するための第３の形態の検出判別状態の説明図。
【符号の説明】
【００２４】
１、１Ａ、１Ｂ：小判型配線ボックス、
２：配線ボックス本体、        ３：ねじ孔、
４：カバー取付片、            ５：ビス、    
６：ビス挿入溝、              ７：透孔、
８、８Ａ：小判型のカバー、    ９：凹部、
１０：ねじ孔、                １１：取付板取付片、
１２：Ｎ極の磁石、            １３：Ｓ極の磁石、
１４、１４Ａ：丸型配線ボックス、
１５：ビス挿入溝、            １６：透孔、
１７、１７Ａ：丸型のカバー、  １８：ねじ孔、
１９：取付板取付片、          ２０：磁力線検出器、
２１：壁板、                  ２２：検出器本体、
２３：ヒンジ部材、            ２４：電池、
２５：カバー体、              ２６：マトリックス表示器、
２７：中央ケガキ用孔、        ２８：電源スイッチ、
２９：青ランプ、              ３０：中心検出表示用緑ランプ、
３１：丸型検出表示用黄ランプ、３２：小判型検出表示用赤ランプ、
３３：水平器、                ３４、３５：ケガキ用孔、
３６：ホールＩＣ（磁気センサー）、
３７：制御回路、              ３８：ナット、
３９：軸。
【図１】
2010016919.tif 000003
【図２】
2010016919.tif 000004
【図３】
2010016919.tif 000005
【図４】
2010016919.tif 000006
【図５】
2010016919.tif 000007
【図６】
2010016919.tif 000008
【図７】
2010016919.tif 000009
【図８】
2010016919.tif 000010
【図９】
2010016919.tif 000011
【図１０】
2010016919.tif 000012
【図１１】
2010016919.tif 000013
【図１２】
2010016919.tif 000014
【図１３】
2010016919.tif 000015
【図１４】
2010016919.tif 000016
【図１５】
2010016919.tif 000017
【図１６】
2010016919.tif 000018
【図１７】
2010016919.tif 000019
【図１８】
2010016919.tif 000020
【図１９】
2010016919.tif 000021
【図２０】
2010016919.tif 000022
【図２１】
2010016919.tif 000023
【図２２】
2010016919.tif 000024
【図２３】
2010016919.tif 000025
【図２４】
2010016919.tif 000026